(57)【要約】【課題】一の利用者の所定時刻における表示情報と、他の利用者の所定時刻における表示情報とを同時に表示することで、所定時刻における夫々の表示情報の差異を認識し、例えば講義等の進度に反映することができる情報表示装置等を提供する。【解決手段】教材のデジタルコンテンツを記憶する教材ＤＢ３３と、利用者が前記デジタルコンテンツを表示した際の表示に関する表示情報を操作ログ情報として記憶する操作ログＤＢ３４と、一の利用者の所定時刻における前記表示情報と、他の利用者の前記所定時刻における前記表示情報とを同一のディスプレイに同時に表示する表示制御部４２とを備える。【選択図】図１
2018146845.tif 000002
【特許請求の範囲】
【請求項１】
デジタルコンテンツを記憶するコンテンツ記憶手段と、
利用者が前記デジタルコンテンツを表示した際の表示に関する表示情報を記憶するログ情報記憶手段と、
一の利用者の所定時刻における前記表示情報と、他の利用者の前記所定時刻における前記表示情報とを分析する分析手段と、
前記分析手段の分析結果を同一のディスプレイに同時に表示する表示制御手段とを備えることを特徴とする情報表示装置。
【請求項２】
請求項１に記載の情報表示装置において、
前記表示情報が、前記デジタルコンテンツにおける表示箇所に関する情報であり、
前記分析手段が、前記一の利用者の前記所定時刻における前記表示箇所についての情報と、前記他の利用者の前記所定時刻における前記表示箇所についての情報とを、所定の時間単位で集計し、
前記表示制御手段が、前記分析手段の集計結果について、前記一の利用者の前記所定時刻における前記表示箇所についての情報と、前記他の利用者の前記所定時刻における前記表示箇所についての情報とで異なる表示態様となるマップを生成し、前記所定の時間単位で定期的に又は不定期に前記マップを表示することを特徴とする情報表示装置。
【請求項３】
請求項２に記載の情報表示装置において、
前記ログ情報記憶手段が、複数の前記他の利用者の表示情報を記憶し、
前記分析手段が、前記他の利用者が前記所定時刻において前記表示箇所を同時に表示している人数を集計し、
前記表示制御手段が、前記分析結果で得られた人数に応じて、前記表示箇所についての情報の表示態様を異ならせるマップを生成して表示することを特徴とする情報表示装置。
【請求項４】
請求項３に記載の情報表示装置において、
前記ログ情報記憶手段が、前記利用者が前記デジタルコンテンツに対して行った操作に関する操作情報を記憶し、前記分析手段が、前記コンテンツ記憶手段に記憶されている前記デジタルコンテンツ及び前記操作情報に基づいて、前記表示箇所を特定して集計することを特徴とする情報表示装置。
【請求項５】
講義で利用する教材の電子コンテンツを管理する教材管理装置と、ｅラーニングのプラットフォームであるシステム管理装置と、ｅラーニングに関する情報を分析処理する分析処理装置と、利用者が前記電子コンテンツを利用するための利用者端末とを有する学習管理システムであって、
前記教材管理装置が、
前記教材に関する電子コンテンツを記憶する教材データベースと、
前記利用者が前記電子コンテンツに対して行った操作に関する情報を記憶する操作ログデータベースとを備え、
前記システム管理装置が、
学習に関する情報を記憶する学習情報データベースを備え、
前記分析処理装置が、
前記教材データベース、前記操作ログデータベース及び前記学習情報データベースに記憶されている管理情報に基づいて、前記利用者のうちの指導者に関する前記管理情報を分析する第１分析部と、
前記管理情報に基づいて、前記利用者のうちの複数の被指導者に関する前記管理情報を分析する第２分析部と、
前記第１分析部及び前記第２分析部の分析結果に基づいて、前記利用者端末に表示する表示情報を生成する表示情報生成部とを備え、
前記利用者端末が、
生成された前記表示情報をディスプレイに表示する表示手段とを備えることを特徴とする学習管理システム。
【請求項６】
コンピュータが、
コンテンツ記憶手段に記憶されているデジタルコンテンツについて、利用者が前記デジタルコンテンツを表示した際の表示に関する表示情報を取得してログ情報記憶手段に格納するログ情報格納ステップと、
一の利用者の所定時刻における前記表示情報と、他の利用者の前記所定時刻における前記表示情報とを分析する分析ステップと、
前記分析ステップの分析結果を同一のディスプレイに同時に表示する表示制御ステップとを実行することを特徴とする情報表示方法。
【請求項７】
デジタルコンテンツを記憶するコンテンツ記憶手段、
利用者が前記デジタルコンテンツを表示した際の表示に関する表示情報を記憶するログ情報記憶手段、
一の利用者の所定時刻における前記表示情報と、他の利用者の前記所定時刻における前記表示情報とを分析する分析手段、
前記分析手段の分析結果を同一のディスプレイに同時に表示する表示制御手段としてコンピュータを機能させることを特徴とする情報表示プログラム。
【発明の詳細な説明】
【技術分野】
【０００１】
本発明は、利用者がデジタルコンテンツを使用した際の使用態様に関する情報を表示する情報表示装置に関する。
【背景技術】
【０００２】
例えば、授業や講義などにおいて、受講者が講義内容に付いてきているかどうかの判断は、指導者の経験や勘を頼りにして講義を進行することが一般的である。特に、大人数が参加するような講義においては、その傾向が強い。
【０００３】
また、近年、ｅラーニングシステムの開発が進み、ｅラーニングシステムを利用しての講義も多く実施されている。ｅラーニングシステムに関する技術として、例えば、特許文献１、２に示す技術が開示されている。特許文献１に示す技術は、端末群であるレベルクラスと学習システムサーバを含み、端末群としてのレベルクラスは、通信ネットワークに基づく学生端末、教師端末、及び大型認知度表示端末が備えられて受講学生の学習レベル別に編成された端末群であり、授業データ、授業認知度のテストデータ、及び授業認知度のテスト分析結果データがそれぞれの端末に提供され、学習システムサーバは、受講学生の学習レベルを基準にレベルクラスを編成し、受講学生のテスト結果をリアルタイムで分析して各学生別学習レベルデータベースに適用されるようにして学生の学習レベル調整や授業認知度の報告等を可能とし、学習システムの利用における不足事項を把握して連係機関によりサポートされるようにするものである。
【０００４】
特許文献２に示す技術は、サーバが、通信手段を介して接続された複数のクライアントにコンテンツを配信する教育支援システムにおいて、サーバは、動画データ及び音声データを時系列に対応付け、コンテンツとして記憶する手段と、コンテンツをクライアントに配信する手段と、コンテンツの配信中にクライアントから送信された備忘記録信号を受信する手段と、備忘記録信号を受信した時刻をコンテンツに固有の時間座標値に変換する手段と、変換された時間座標値に基づいて、所定の時間長を有する複数の時間区分ごとに備忘記録信号を統計的に解析する手段と、解析された結果を出力する手段とを備えるものである。
【先行技術文献】
【特許文献】
【０００５】
【特許文献１】特開２００８−２０９９２２号公報
【特許文献２】特開２００５−０３８３２８号公報
【発明の概要】
【発明が解決しようとする課題】
【０００６】
しかしながら、実際の講義において、受講者の理解度には大きなばらつきがあり、講義の進行を指導者の経験と勘に頼った場合に、必ずしもその講義において適正な進度であるとは限らない。すなわち、ある程度の講義の進度は維持しつつ、理解が追い付かない受講者を上手くフォローできるように講義を進めることが望まれる。
【０００７】
特許文献１に示す技術は、授業中に認知度のテストを行うことで、学生の理解度をリアルタイムで分析し、学習レベルの調整やオーダーメイド型単語帳を提供するものであるため、授業中に認知度のテストを行うことが必須となり、その間は授業を進めることができなくなってしまう。また、リアルタイムでの分析とは言え、テストを行った結果を見てフィードバックをかけることとなるため、ある程度の時間差が生じ、リアルタイムという点では十分とは言えない。
【０００８】
特許文献２に示す技術は、教育用のコンテンツに対して受講者の意思を講師にフィードバックするものであり、そのコンテンツを閲覧中の受講者に対してフィードバックされるものではない。すなわち、フィードバックがなされたコンテンツは次に閲覧する受講者にとってはより良いものになっている可能性があるものの、意志表示した本人にはフィードバックされない。また、予め記憶されている動画データや音声データを配信するため、受講中に授業の進度を適正なものに調整するようなことはできない。
【０００９】
本発明は、一の利用者の所定時刻における表示情報と、他の利用者の所定時刻における表示情報とを同時に表示することで、所定時刻における一の利用者の表示情報と他の利用者の表示情報との差異を認識し、例えば講義の進度等に反映することができる情報表示装置等を提供する。
【課題を解決するための手段】
【００１０】
本発明に係る情報表示装置は、デジタルコンテンツを記憶するコンテンツ記憶手段と、利用者が前記デジタルコンテンツを表示した際の表示に関する表示情報を記憶するログ情報記憶手段と、一の利用者の所定時刻における前記表示情報と、他の利用者の前記所定時刻における前記表示情報とを分析する分析手段と、前記分析手段の分析結果を同一のディスプレイに同時に表示する表示制御手段とを備えるものである。
【００１１】
このように、本発明に係る情報表示装置においては、デジタルコンテンツを記憶し、利用者が前記デジタルコンテンツを表示した際の表示に関する表示情報を記憶し、一の利用者の所定時刻における前記表示情報と、他の利用者の前記所定時刻における前記表示情報とを分析し、分析結果を同一のディスプレイに同時に表示するため、一の利用者が所定時刻に表示していた情報と他の利用者が所定時刻に表示していた情報との差異を瞬時に認識して、同期がとれるように調整することが可能になるという効果を奏する。
【００１２】
本発明に係る情報表示装置は、前記表示情報が、前記デジタルコンテンツにおける表示箇所に関する情報であり、前記分析手段が、前記一の利用者の前記所定時刻における前記表示箇所についての情報と、前記他の利用者の前記所定時刻における前記表示箇所についての情報とを、所定の時間単位で集計し、前記表示制御手段が、前記分析手段の集計結果について、前記一の利用者の前記所定時刻における前記表示箇所についての情報と、前記他の利用者の前記所定時刻における前記表示箇所についての情報とで異なる表示態様となるマップを生成し、前記所定の時間単位で定期的に又は不定期に前記マップを表示するものである。
【００１３】
このように、本発明に係る情報表示装置においては、前記表示情報が、前記デジタルコンテンツにおける表示箇所に関する情報であり、前記分析手段が、前記一の利用者の前記所定時刻における前記表示箇所についての情報と、前記他の利用者の前記所定時刻における前記表示箇所についての情報とを、所定の時間単位で集計し、前記表示制御手段が、前記分析手段の集計結果について、前記一の利用者の前記所定時刻における前記表示箇所についての情報と、前記他の利用者の前記所定時刻における前記表示箇所についての情報とで異なる表示態様となるマップを生成し、前記所定の時間単位で定期的に又は不定期に前記マップを表示するため、一の利用者が所定時刻に表示していた箇所と、他の利用者が同じ時刻に表示していた箇所との差を視認性が高いマップ表示で容易に認識することができるという効果を奏する。
【００１４】
本発明に係る情報表示装置は、前記ログ情報記憶手段が、複数の前記他の利用者の表示情報を記憶し、前記分析手段が、前記他の利用者が前記所定時刻において前記表示箇所を同時に表示している人数を集計し、前記表示制御手段が、前記分析結果で得られた人数に応じて、前記表示箇所についての情報の表示態様を異ならせるマップを生成して表示するものである。
【００１５】
このように、本発明に係る情報表示装置においては、前記ログ情報記憶手段が、複数の前記他の利用者の表示情報を記憶し、前記分析手段が、前記他の利用者が前記所定時刻において前記表示箇所を同時に表示している人数を集計し、前記表示制御手段が、前記分析結果で得られた人数に応じて、前記表示箇所についての情報の表示態様を異ならせるマップを生成して表示するため、他の利用者が複数いる場合に、所定時刻において一の利用者と同じ箇所を表示している他の利用者の人数を容易に認識することが可能になるという効果を奏する。
【００１６】
本発明に係る情報表示装置は、前記ログ情報記憶手段が、前記利用者が前記デジタルコンテンツに対して行った操作に関する操作情報を記憶し、前記分析手段が、前記コンテンツ記憶手段に記憶されている前記デジタルコンテンツ及び前記操作情報に基づいて、前記表示箇所を特定して集計するものである。
【００１７】
このように、本発明に係る情報表示装置においては、前記ログ情報記憶手段が、前記利用者が前記デジタルコンテンツに対して行った操作に関する操作情報を記憶し、前記分析手段が、前記コンテンツ記憶手段に記憶されている前記デジタルコンテンツ及び前記操作情報に基づいて、前記表示箇所を特定して集計するため、例えば、タッチパネルから得られる情報や拡大、縮小などの情報から、表示箇所に関するより詳細で且つ正確な情報を取得することができるという効果を奏する。
【００１８】
本発明に係る学習管理システムは、講義で利用する教材の電子コンテンツを管理する教材管理装置と、ｅラーニングのプラットフォームであるシステム管理装置と、ｅラーニングに関する情報を分析処理する分析処理装置と、利用者が前記電子コンテンツを利用するための利用者端末とを有する学習管理システムであって、前記教材管理装置が、前記教材に関する電子コンテンツを記憶する教材データベースと、前記利用者が前記電子コンテンツに対して行った操作に関する情報を記憶する操作ログデータベースとを備え、前記システム管理装置が、学習に関する情報を記憶する学習情報データベースを備え、前記分析処理装置が、前記教材データベース、前記操作ログデータベース及び前記学習情報データベースに記憶されている管理情報に基づいて、前記利用者のうちの指導者に関する前記管理情報を分析する第１分析部と、前記管理情報に基づいて、前記利用者のうちの複数の被指導者に関する前記管理情報を分析する第２分析部と、前記第１分析部及び前記第２分析部の分析結果に基づいて、前記利用者端末に表示する表示情報を生成する表示情報生成部とを備え、前記利用者端末が、生成された前記表示情報をディスプレイに表示する表示手段とを備えるものである。
【００１９】
このように、本発明に係る学習管理システムにおいては、講義で利用する教材の電子コンテンツを管理する教材管理装置と、ｅラーニングのプラットフォームであるシステム管理装置と、ｅラーニングに関する情報を分析処理する分析処理装置と、利用者が前記電子コンテンツを利用するための利用者端末とを有する学習管理システムであって、前記教材管理装置が、前記教材に関する電子コンテンツを記憶する教材データベースと、前記利用者が前記電子コンテンツに対して行った操作に関する情報を記憶する操作ログデータベースとを備え、前記システム管理装置が、学習に関する情報を記憶する学習情報データベースを備え、前記分析処理装置が、前記教材データベース、前記操作ログデータベース及び前記学習情報データベースに記憶されている管理情報に基づいて、前記利用者のうちの指導者に関する前記管理情報を分析する第１分析部と、前記管理情報に基づいて、前記利用者のうちの複数の被指導者に関する前記管理情報を分析する第２分析部と、前記第１分析部及び前記第２分析部の分析結果に基づいて、前記利用者端末に表示する表示情報を生成する表示情報生成部とを備え、前記利用者端末が、生成された前記表示情報をディスプレイに表示する表示手段とを備えるため、指導者が表示している情報と被指導者が表示している情報とをそれぞれ分析して表示することで、被指導者が閲覧している情報と指導者が閲覧している情報との差を確認し、指導者はその情報に基づいて講義の進度を調整することが可能になるという効果を奏する。
【図面の簡単な説明】
【００２０】
【図１】第１の実施形態に係る学習管理システムのシステム構成図である。
【図２】第１の実施形態に係る学習管理システムにおける各装置のハードウェア構成図である。
【図３】第１の実施形態に係る学習管理システムの機能ブロック図である。
【図４】第１の実施形態に係る学習管理システムにおける分析結果の一例を示す図である。
【図５】第１の実施形態に係る学習管理システムにおける分析結果の他の例を示す図である。
【図６】第１の実施形態に係る学習管理システムの動作を示すフローチャートである。
【図７】第２の実施形態に係る学習管理システムにおける演習（小テスト）中に分析された情報の一例を示す図である。
【図８】第２の実施形態に係る学習管理システムにおける演習（復習）中に分析された情報の一例を示す図である。
【図９】第２の実施形態に係る学習管理システムにおける演習（自由記述）中に分析された情報の一例を示す図である。
【図１０】第２の実施形態に係る学習管理システムにおける演習（ディスカッション）中に分析された情報の一例を示す図である。
【発明を実施するための最良の形態】
【００２１】
以下、本発明の実施の形態を説明する。本発明は多くの異なる形態で実施可能である。また、本実施形態の全体を通して同じ要素には同じ符号を付けている。
【００２２】
（本発明の第１の実施形態）
本実施形態に係る情報表示装置及び当該情報表示装置を用いた学習管理システムについて、図１ないし図６を用いて説明する。本実施形態に係る学習管理システムは、一の利用者（例えば、講義を行う教師）が当人が使用している利用者端末に所定の時刻に表示している情報と、他の利用者（例えば、講義を受ける受講者）が当人が使用している利用者端末に所定の時刻に表示している情報とに関する講義情報を同一の画面に同時に表示することで、受講者が教師の講義に付いてきているかを一見して判断できるようにリアルタイムに分析して表示するものである。
【００２３】
図１は、本実施形態に係る学習管理システムのシステム構成図である。学習管理システム１は、管理サーバ１０と利用者端末１１とを備える。利用者端末１１は、例えば、教師が使用するための利用者端末１１ａと受講者が使用するための利用者端末１１ｂとからなる。管理サーバ１０は、受講者の学習活動に関する情報を全般的に管理するシステム管理装置２０と、講義などで使用する教科書、参考書、資料、少テスト等のコンテンツを管理する教材管理装置３０と、利用者端末１１の操作情報や表示情報などをリアルタイムで分析し、その結果を利用者端末１１から閲覧可能に制御する分析処理装置４０とを備える。
【００２４】
システム管理装置２０は、オンラインの学習システムであるｅラーニングシステムのプラットフォームであり、講義に関する情報、テストデータ、レポートや課題などの情報を管理し、利用者端末１１から権限に応じて自由に閲覧できるようになっている。それぞれの情報は、講義のコースごとや受講生ごとに個々の単位で管理されている。
【００２５】
教材管理装置３０は、講義で使用する教科書、参考書、資料等のコンテンツを管理する装置であり、受講生が個々にアクセスして必要な教材を参照することが可能となっている。特に、教師については、自分が講義で使用する予定の教材を利用者端末１１ａから登録することが可能となっている。また、各コンテンツに対して、教師や受講者が利用者端末１１からどのような操作を行ったかを操作ログとして記憶する機能を有しており、例えば、教師が利用者端末１１ａから「何月何日の何時何分何秒にコンテンツＡのｎページ目にアクセスして表示した」といったログ情報が蓄積される。
【００２６】
分析処理装置４０は、あるコンテンツに対してなされた操作ログを分析し、その分析結果を利用者端末１１に表示可能に制御する処理を行う。具体的には、例えば、上記の操作ログ情報を分析することで、講義を受講している受講者の利用者端末１１ｂが所定時刻においてアクセスしているページ情報を集約すると共に、教師の利用者端末１１ａが同じ時刻においてアクセスしているページ情報を取得し、それらを後述するマップ形式で表示可能に制御する。
【００２７】
分析された結果は、利用者端末１１に表示して閲覧することが可能となり、教師は、その分析結果を見て講義の進度などをリアルタイムに調整することが可能となる。
【００２８】
なお、本実施形態においては、上記各装置を一つのサーバ上に構築し、それぞれの装置にアクセスするためのログインＩＤを共通化することで、利用者端末１１から各装置へのアクセスを見た目上シームレスに行うことが可能となり、処理効率を上げてリアルタイム分析を可能とするものである。
【００２９】
図２は、本実施形態に係る学習管理システムにおける各装置のハードウェア構成図である。学習管理システム１を構成する各装置のコンピュータ２は、ＣＰＵ５１、ＲＡＭ５２、ＲＯＭ５３、ハードディスク（ＨＤとする）５４、通信Ｉ／Ｆ５５、及び入出力Ｉ／Ｆ５６を備える。ＲＯＭ５３やＨＤ５４には、オペレーティングシステム、プログラム、データベース等が格納されており、必要に応じてプログラムがＲＡＭ５２に読み出され、ＣＰＵ５１により実行される。
【００３０】
通信Ｉ／Ｆ５５は、装置間の通信を行うためのインタフェースである。入出力Ｉ／Ｆ５６は、タッチパネル、キーボード、マウス等の入力機器からの入力を受け付けたり、プリンタやディスプレイ等にデータを出力するためのインタフェースである。この入出力Ｉ／Ｆ５６は、必要に応じて光磁気ディスク、ＣＤ−Ｒ、ＤＶＤ−Ｒ等のリムーバブルディスク等に対応したドライブを接続することができる。各処理部はバスを介して接続され、情報のやり取りを行う。なお、上記ハードウェアの構成はあくまで一例であり、必要に応じて変更可能である。
【００３１】
図３は、本実施形態に係る学習管理システムの機能ブロック図である。学習管理システム１は、図１に示したように、システム管理装置２０、教材管理装置３０及び分析処理装置４０を備える管理サーバ１０と、教師や受講者がシステムを利用するための利用者端末１１とを備える。
【００３２】
システム管理装置２０は、利用者端末１１からの入力情報を受け付けると共に、利用者端末１１への情報の出力を行うインターフェースとしての入出力部２１と、講義に関する情報、テストデータ、レポートや課題などの学習活動に関する全般的な情報を記憶する学習情報ＤＢ２２とを備える。学習情報ＤＢ２２に記憶される各情報は、利用者端末１１から入出力部２１を介して格納され、また、学習情報ＤＢ２２に記憶されている各情報は、入出力部２１を介して利用者端末１１に出力される。利用者は、利用者端末１１から自分のＩＤで、まずシステム管理装置２０にログインする。以降の学習に関する処理は、このＩＤを使って全ての処理が行われる。具体的には、例えば受講情報の登録や確認、テストの受講、テスト結果の確認、レポートの提出、個別の質疑応答等の処理についての学習活動がシステム管理装置２０の管理の下で行われる。
【００３３】
教材管理装置３０は、利用者端末１１からの入力情報を受け付けると共に、利用者端末１１への情報の出力を行うインターフェースとしての入出力部３１と、教師の利用者端末１１ａなどから入出力部３１を介して登録されるコンテンツを電子書籍の形式に変換すると共に、文字列のみを抽出して教材ＤＢ３３に格納する変換処理部３２と、変換処理部３２による変換後のコンテンツ情報を記憶する教材ＤＢ３３と、教材ＤＢ３３に格納されている各コンテンツ情報に対して、利用者が利用者端末１１から行った操作に関するログ情報を記憶する操作ログＤＢ３４とを備える。
【００３４】
操作ログＤＢ３４に格納される操作情報は、例えばアクセスしているコンテンツの種類、ページ、画面タップやマウスクリックのポイント、拡大箇所、縮小箇所、スライド操作、回転操作、マーカ位置（マーカされた対象）、文字入力位置（入力された文字内容も含む）等である。
【００３５】
なお、上記でも述べたように、仮にシステム管理装置２０と教材管理装置３０とが、互換性がない異なるソフトウェアからなる場合であっても、それぞれの装置を同一サーバ内で構築し、変換テーブル等を用いてログインＩＤを共通化することで、一つのＩＤでそれぞれの装置にシームレスにアクセスすることが可能となる。また、同一サーバ内に構築されることで、操作ログ情報等のリアルタイム分析（例えば、１秒以下〜数分程度）が可能になる。
【００３６】
分析処理装置４０は、システム管理装置２０の学習情報ＤＢ２２に記憶されている情報、及び、教材管理装置３０の操作ログＤＢ３３に記憶されている操作ログ情報に基づいて、講義中における利用者の状態や講義中に行われた演習等の結果を分析する分析処理部４１と、分析した結果を利用者端末１１に表示するように制御する表示制御部４２とを備える。なお、分析結果の表示態様としては、例えば後述するような視認性が高いマップ表示、分析結果の表やグラフ、実際に操作された操作内容や入力内容をそのまま表示するようにしてもよい。
【００３７】
分析処理部４１は、現時刻において講義で使用されている教材に対して、利用者端末１１で参照されているページを集計する。具体的には、教師が利用している利用者端末１１ａが表示しているページ（以下、教師参照ページという）を取得すると共に、その講義を受講している受講者が利用している利用者端末１１ｂで表示されいているページ（以下、受講者参照ページという）をページごとに集計する。
【００３８】
また、例えば、講義中に演習を行った場合には、受講者が利用者端末１１ｂで演習中に参照したページ、マーカで強調表示した文字列、メモとして入力された文字、テスト結果、テストの各問題に対して参照されたページ等も併せて分析することが可能となっている。
【００３９】
表示制御部４２は、分析処理部４１で取得された所定時刻における教師参照ページの情報と、所定時刻における受講者参照ページの情報とを、経時的に表示するためのマップの生成や、その他の分析結果をグラフ等で表示するための表示情報を生成する。表示制御部４２で生成された情報は、システム管理装置２０の入出力部２１を介して利用者端末（ここでは、特に教師が利用する利用者端末１１ａ）に表示される。以下、マップ表示の一例について、具体的な例を挙げて説明する。なお、上記集計処理は、例えば、数秒〜１分間隔で行うようにしてもよい。
【００４０】
図４は、本実施形態に係る学習管理システムにおける分析結果の一例を示す図である。図４（Ａ）は講義全体の経時的な変化を示しており、図４（Ｂ）はその一部を拡大したものである。図４（Ａ）及び図４（Ｂ）において、横軸が時刻、縦軸がページを示している。●印は講義を行っている教師の利用者端末１１ａで表示されているページを示しており、この●印の進度が講義の進度となる。その他の塗りつぶし部分は、そのページを表示している受講者の利用者端末１１ｂの存在を示しており、濃度が濃い程、そのページを表示している利用者端末１１ｂが多いことを示している。
【００４１】
なお、図４に示す例は、講義時間が４５分で、１分ごとに分析処理部４１による分析処理が行われ、その情報がリアルタイムに表示されているものである。この分析結果は、教師の利用者端末１１ａに表示していない状態（すなわち、教師は通常通りの講義を分析結果を見ずに進めた状態）での分析結果を示すものであり、分析結果を見ながらリアルタイムな講義の進度調整等は一切行われていないものとする。
【００４２】
図４（Ａ）において、教師の利用者端末１１ａで表示されているページの情報から、以下の流れで講義が行われていることがわかる。
（１）８：００〜８：０８  教材Ａを使っての講義
（２）８：０９  教材Ａから教材Ｂに変更
（３）８：０９〜８：２０  教材Ｂを使っての前半講義
（４）８：２０〜８：２９  演習
（５）８：２９〜８：３９  教材Ｂを使っての後半講義
【００４３】
これに対して、受講者が利用する利用者端末１１ｂに表示されている教材のページごとの端末数が濃淡表示されている。（１）の期間においては、教師参照ページと同じページが濃くなっており、すなわち、教師参照ページと同じページを参照している受講者が多いことを示しており、講義の進度がほぼ適正であることを講義を行いながら認識することが可能となる。（２）で教師が講義で使用する教材を教材Ａから教材Ｂに変更し、それに伴って、受講者も教材Ａから教材Ｂにアクセスを変更している。
【００４４】
（３）の期間においては、教師参照ページの推移を見ると教材Ｂを使用して順調に講義が進んでいることがわかるが、受講者参照ページの濃淡の推移を見ると、同時刻において教師参照ページの少し前のページを多くの受講者が参照していることがわかる。すなわち、受講者が講義の進度について行けてないことがわかる。
【００４５】
なお、上述したように、図４の講義においては、教師の利用者端末１１ａにこの結果を示していないため、進度が速いにも関わらず講義が淡々と進んでいるが、実際には教師の利用者端末１１ａにこの結果がリアルタイムに表示されるため、教師は講義の進度が速いことを認識し、講義を進めるペースを教師参照ページと同じページが受講者参照ページとして濃く表示されるように調整することが可能となる。
【００４６】
（４）の期間では講義は進まず演習を行っているため、教師参照ページと同じページが受講者参照ページとして濃く表示されている。なお、この演習中における分析処理については、その他の実施形態において詳細を後述する。（４）の演習が終わり、（５）の期間においては、再び講義の進度が速く受講者が講義に付いていけない状況となり、最後まで講義進度が速いまま、講義を終了している。
【００４７】
このように、同時刻における教師参照ページと受講者参照ページとを同一の画面内に同時にマップ表示した場合は、受講者が講義に付いてきているかどうかを視覚的に瞬時に認識することが可能となり、その場で講義の進度を調整することが可能となる。
【００４８】
なお、図４に示すように、使用する教材が教材Ａから教材Ｂに変わった場合であっても、その講義内で利用者端末１１がアクセスした情報については、利用者端末１１の操作ログ情報を参照することで正確に取得することが可能である。
【００４９】
また、図４においては、１分ごとに分析処理部４１による分析処理が行われ、その情報がリアルタイムに表示されているが、通信環境によっては、分析結果の情報が遅れて受信される場合がある。そのため、例えば、図４の場合であれば、直近５分間のログデータを集計して分析処理を行うことで、送信が遅れたデータについても反映して更新することが可能となる。すなわち、現時刻における操作ログ情報を所定の間隔で取得する場合に、現時刻以前の操作ログ情報も併せて分析して表示することで、より正確な分析結果を表示することが可能となる。
【００５０】
図５は、本実施形態に係る学習管理システムにおける分析結果の他の例を示す図である。図４のマップ表示では、受講者が講義に付いてきているかどうかを詳細に判断できるものの、瞬時に視認するという点では表示される情報量が多い可能性もある。その場合は、図５に示すような必要最小限の情報量で分析結果を表示するようにしてもよい。図５は、受講者参照ページを表示している利用者端末１１ｂの割合を円グラフで示したものであり、受講者Ａのグループが教師参照ページと同じページを表示している利用者端末１１ｂの割合を示し、受講者Ｂのグループが教師参照ページより先のページを表示している利用者端末１１ｂの割合を示し、受講者Ｃのグループが教師参照ページよりも前のページを表示している利用者端末１１ｂの割合を示している。このように、例えば、１分ごとに円グラフを更新して表示することで、教師は講義の進度の適正をより簡単に視認して調整することが可能となる。
【００５１】
なお、各受講者グループＡ、Ｂ及びＣにおいて、枝番を付した領域については、「−１」が事前に予習をしていたグループ、「−２」が事前に予習をしていなかったグループを示しており、分析処理部４１が分析した予習情報と併せて表示することで、教師が、予習の必要性や今後の予習量、予習内容等を併せて認識することが可能となっている。例えば、予習をしている受講者も含めて講義に付いてきていない場合は、本当の意味で講義の進度が速いと判断することが可能であり、予習している受講者は講義に付いてきているものの、講義に付いてきていない受講者の多くが予習をしていない受講者である場合には、予習の重要さを受講者に認識させて徹底するような対策を取ることができる。
【００５２】
次に、本実施形態に係る学習管理システムの動作について説明する。図６は、本実施形態に係る学習管理システムの動作を示すフローチャートである。なお、講義に必要な教材や資料は事前に教材ＤＢ３３に登録済みであるとする。まず、システム管理装置２０の入出力部２１が利用者端末１１からのログイン情報を受け付け、各装置へのログイン認証を行う（Ｓ１）。利用者端末１１からの操作を教材管理装置３０の入出力部３１が受け付け、必要な教材の情報を教材ＤＢ３３から取得して、利用者端末１１に表示可能な状態となる（Ｓ２）。利用者端末１１で操作される操作情報を入出力部３１が受け付け、操作ログ情報を操作ログＤＢ３４に格納する（Ｓ３）。分析処理部４１が、操作ログＤＢ３４に格納されている操作ログ情報、及び学習情報ＤＢ２２に格納されている学習活動に関する情報に基づいて分析処理を行い、表示制御部４２がマップを生成する（Ｓ４）。生成されたマップを入出力部２１を介して利用者端末１１に表示する（Ｓ５）。
【００５３】
そして、講義終了の状態となったかどうかを判定し（Ｓ６）、講義終了の場合は処理を終了する。講義終了ではない場合は、予め設定された時間が経過したかどうかを判定し（Ｓ７）、予め設定された時間が経過した場合は、ステップＳ４の処理に戻って、新たに収集された情報を分析処理する。この処理は講義が終了するまで繰り返して行われる。
【００５４】
このように、本実施形態に係る情報表示装置及び学習管理システムにおいては、教師が表示している情報と受講者が表示している情報とをそれぞれ分析して表示することで、受講者が閲覧している情報と教師が閲覧している情報との差を容易に視認することができ、教師はその情報に基づいて講義の進度を適正に調整することが可能になる。
【００５５】
（本発明のその他の実施形態）
本実施形態に係る情報表示装置及び当該情報表示装置を用いた学習管理システムについて図７ないし図９を用いて説明する。本実施形態に係る学習管理システムは、講義中に行う演習の際に収集される情報に基づいて、講義の内容や進度を適正に調整することを可能とするものである。なお、本実施形態において、前記第１の実施形態と重複する説明は省略する。
【００５６】
本実施形態においては、分析処理部４１が講義中に行われる演習の際に収集された操作ログ情報に基づいて、分析処理を行う。ここで演習の種類として、例えば小テスト（参考資料を参照可）、復習（重要箇所にマーカ記入）、まとめ（自由記述）、ディスカッション等がある。以下、具体的に説明する。
【００５７】
演習が小テスト（参考資料を参照可）の場合、受講者は小テストを行いながら、その問題に関連する箇所の参考資料を利用者端末１１ｂで閲覧する可能性が高い。そのときの操作ログ情報を操作ログＤＢ３４に格納する。分析処理部４１は、操作ログＤＢ３４に格納された情報を用いて、小テスト中に参照された箇所の情報を集約し、表示制御部４２が、例えばグラフや表を生成して利用者端末１１ａに表示する。図７は、演習（小テスト）中に分析された情報の表示例を示す図である。図７（Ａ）は小テストの結果を示す図、図７（Ｂ）は閲覧ページランキングを示している。
【００５８】
図７（Ａ）に示すように、各問題に対する正答率という形で小テストの結果が集計されて表示される。また、併せて、図７（Ｂ）に示すように、小テスト中に受講者が参考のために閲覧したページのランキングが表示される。教師は表示された情報を見て、受講生の理解が十分な箇所や不十分な箇所を瞬時に認識することが可能となる。また、受講生が小テストの問題に対して適正なページを参考にできているかというようなことも瞬時に認識することができる。そして、必要に応じて、受講生の理解が不十分と思われる箇所について、演習後に復習の講義を行うなどの対応が可能となる。
【００５９】
演習が復習（重要箇所にマーカ記入）の場合、受講者は復習しながら重要と思われる箇所に利用者端末１１ｂでマーカを記入する。そのときの操作ログ情報を操作ログＤＢ３４に格納する。分析処理部４１は、操作ログＤＢ３４に格納された情報を用いて、マーカされた箇所の情報を集約し、表示制御部４２が、例えばグラフや表を生成して利用者端末１１ａに表示する。図８は、演習（復習）中に分析された情報の表示例を示す図である。図８に示すように、マーカされた箇所の資料、ページ、単語及び記入者数の情報が集計されて表示される。教師は表示された情報を見て、受講生が重要と判断している箇所を瞬時に認識することができる。そして、本来重要である箇所にあまりマーカされていないような場合や、逆に、あまり重要ではない箇所に多くのマーカが集中しているような場合には、演習後に再度それらの箇所を整理して説明する等の対応が可能となる。
【００６０】
なお、この場合、分析された結果は、教師の利用者端末１１ａだけではなく、受講者の利用者端末１１ｂにも表示されるようにしてもよい。そうすることで、受講者は他の受講者が重要と判断している箇所を知ることができ、自分の復習に役立てることが可能となる。
【００６１】
演習がまとめ（自由記述）の場合、受講者は受けた講義内容をまとめ、その内容を自由記述で利用者端末１１ｂで記入する。そのときの入力された内容を操作ログ情報として操作ログＤＢ３４に格納する。分析処理部４１は、操作ログＤＢ３４に格納された情報を用いて、自由記述で入力された内容や文字列の情報を集約し、表示制御部４２が、例えばグラフ、表、まとめ内容の要約、記述された内容や文字列に関する参考資料等を生成して利用者端末１１ａに表示する。図９は、演習（自由記述）中に分析された情報の表示例を示す図である。図９（Ａ）は記述された単語のランキングを示し、図９（Ｂ）は記述された単語に関連して抽出された資料を示す図である。
【００６２】
図９（Ａ）に示すように、自由記述で使用された単語のランキングが集計されて表示される。また、併せて、ランキング上位の単語に関連する資料を関連度（例えば、単語の頻出率、類似語の頻出率、関連する単語の頻出率等の基づくスコアから算出）が高いものから抽出して表示される。教師は表示された情報を見て、受講生が講義の内容をどのように理解しているかを瞬時に認識することができる。そして、本来重要である内容があまりまとめられていなかったり、逆に、あまり重要ではない箇所に多くのまとめの記述が集中しているような場合には、演習後に再度それらの箇所を整理して説明する等の対応が可能となる。また、必要に応じて、図９（Ｂ）に抽出された資料等を用いて補足の講義を演習後に行うようなことも可能となる。
【００６３】
なお、まとめ内容の要約に関しては、例えば、予め設定されている所定のキーワードに関する部分の文章を抽出してまとめるようにしてもよいし、異なる受講者間で複数の似たような文章がある場合に、その数に応じて文章を抽出する（例えば、数が多い順に順次表示する）ような技術を利用することができる。
【００６４】
演習がディスカッションの場合、受講者は数人のグループで課題に対する討論を行い、その内容を利用者端末１１ｂで音声入力する。そのときの音声入力された内容を音声認識により文字列に変換し、操作ログ情報として操作ログＤＢ３４に格納する。分析処理部４１は、操作ログＤＢ３４に格納された情報を用いて、音声入力された内容や文字列の情報を集約し、表示制御部４２が、例えばグラフ、表、議論内容の要約、議論された内容や文字列に関する参考資料等等を生成して利用者端末１１ａに表示する。図１０は、演習（ディスカッション）中に分析された情報の表示例を示す図である。図１０（Ａ）は議論中に登場した単語のランキングを示し、図１０（Ｂ）は登場した単語に関連して抽出された資料を示す図である。これらの内容は、図９の場合と同様である。
【００６５】
図１０（Ａ）に示すように、議論の中で登場した単語のランキングが集計されて表示される。また、併せて、ランキング上位の単語に関連する資料を関連度（例えば、単語の頻出率、類似語の頻出率、関連する単語の頻出率等の基づくスコアから算出）が高いものから抽出して表示される。教師は表示された情報を見て、受講生が講義の内容をどのように理解し、考えているかを瞬時に認識すると共に、受講生の意見を参考にすることができる。そして、議論内容が適正であるかどうかを判断し、適正でないと判断される場合には、演習後に再度それらの箇所を整理して説明する等の対応が可能となる。また、必要に応じて、図１０（Ｂ）に抽出された資料等を用いて補足の講義を演習後に行うようなことも可能となる。
【００６６】
なお、議論内容の要約に関しては、例えば、予め設定されている所定のキーワードに関する部分の文章を抽出してまとめるようにしてもよいし、異なる受講者間で複数の似たような文章がある場合に、その数に応じて文章を抽出する（例えば、数が多い順に順次表示する）ような技術を利用することができる。
【００６７】
以上のように、本実施形態に係る学習管理システムにおいては、教師が主体的に進める講義に限らず、受講者側が主体的に行う演習においても、その演習内容をリアルタイムに分析してその後の講義の進め方の参考することが可能となる。
【符号の説明】
【００６８】
１  学習管理システム
２  コンピュータ
１０  管理サーバ
１１（１１ａ，１１ｂ）  利用者端末
２０  システム管理装置
２１  入出力部
２２  学習情報ＤＢ
３０  教材管理装置
３１  入出力部
３２  変換処理部
３３  教材ＤＢ
３４  操作ログＤＢ３４
４０  分析処理装置
４１  分析処理部
４２  表示制御部
５１  ＣＰＵ
５２  ＲＡＭ
５３  ＲＯＭ
５４  ハードディスク
５５  通信Ｉ／Ｆ
５６  入出力Ｉ／Ｆ
【図１】
2018146845.tif 000003
【図２】
2018146845.tif 000004
【図３】
2018146845.tif 000005
【図４】
2018146845.tif 000006
【図５】
2018146845.tif 000007
【図６】
2018146845.tif 000008
【図７】
2018146845.tif 000009
【図８】
2018146845.tif 000010
【図９】
2018146845.tif 000011
【図１０】
2018146845.tif 000012